(57)【要約】 【課題】本発明は、レジ袋などの袋に簡単に装着でき、袋の中身の傾きを防ぐ係止具を提供する。【解決手段】本発明は、袋の開口部を外部から係止する係止具であって、平板にて形成された本体に透孔が形成され、当該透孔から放射状に延在する複数のスリットが形成され、当該スリットの基端部は幅広に形成されたことを特徴とする。【選択図】  図１
2017186083.tif 000002
【特許請求の範囲】
【請求項１】
袋の開口部を外部から係止する係止具であって、平板にて形成された本体に透孔が形成され、前記透孔から放射状に延在する複数のスリットが形成され、前記スリットは、前記スリットの先端部と基端部とのほぼ中央から基端部に向かって幅広に形成され、前記透孔中央部を中心として、前記複数のスリットのうち任意の一つのスリットの先端と、該任意のスリットと隣り合うスリットの先端とから成る角度が９０度未満であり、前記平板の材質は樹脂であることを特徴とする係止具。
【請求項２】
前記スリットは、５本から８本であることを特徴とする請求項１記載の係止具。
【請求項３】
前記平板の寸法は、はがきサイズ以内の範囲の寸法であることを特徴とする請求項１又は２のいずれかに記載の係止具。
【請求項４】
前記スリットは、前記透孔の中心を軸として対称に設けられたことを特徴とする請求項１から３のいずれかに記載の係止具。
【請求項５】
前記本体の外部から前記透孔に至る通路であって、係止すべき袋が通過できる通路が設けられたことを特徴とする請求項１から４のいずれかに記載の係止具。
【発明の詳細な説明】
【技術分野】
【０００１】
本発明は、袋に入れたお弁当等の内容物の偏りを防ぐための係止具に関する。なお、ここで袋とは、主にスーパーやコンビニなどで使用するレジ袋である。
【背景技術】
【０００２】
従来より、スーパーやコンビニでお弁当などを買ったとき、レジ袋に入れて持ち帰る。
【０００３】
袋の開口部を閉鎖するものとしては、特許文献１に示すような係止具や、特許文献２に示す袋用封止具や、文献３に示す網袋の口締め具や文献４が開示されている。
【先行技術文献】
【特許文献】
【０００４】
【特許文献１】特開2015-157647
【特許文献２】特開平9-77095
【特許文献３】実開平5-46746
【特許文献４】国際公開第2009/071883
【発明の概要】
【発明が解決しようとする課題】
【０００５】
スーパーやコンビニでお弁当などを買ったときレジ袋に入れて持ち帰るが、道中でお弁当等の内容物が傾き中身が偏ってぐちゃぐちゃになったり汁がこぼれたりして問題があった。
【０００６】
ところが、特許文献１の係止具は、シート状の枠体で構成され、切り込みによって形成された凸状の片部が該枠体の中央部に配置され、該枠体の中央部と、枠体の外側とを連通させた通路部が備えられ、該通路部から挿入させた袋の口に押圧されて片部が湾曲し、該片部によって袋の口が係止される構造であり、袋の側面を挟み込む構造ではなく片部が湾曲し袋が弾性復帰する力によって袋の開口部を閉鎖するものである。レジ袋などの摩擦抵抗が少ない袋では、袋が揺れたとき片部が湾曲していることで係止具が上方向に移動しやすく、内容物が袋の中で動き傾くおそれがある。また、切り込みは片部を湾曲するためのものである。
【０００７】
また、特許文献２の袋用封止具は、リング状の枠体と、可撓性を有し枠体の内側に向けて突設され、袋口を枠体に挿通したときにその袋口に押されて撓み、その袋口を封止する可撓片とを具備した構造である。文献１と同様で、可撓片が湾曲することで封止具が上方向に移動し内容物が袋の中で動き傾くおそれがある。
【０００８】
また、特許文献3の網袋の口締め具は、平板に、先端を中央に向けて集め、上方向に反らした数個の矢先を円形に配置して、中央穴を形成し、入口から中央の穴に通じる通路を設けた構造で口締め具の矢先の先端が絞った網の目の中に食い込み口締め具が移動しないようにしたものであるが、レジ袋などのような摩擦抵抗が少ない袋では口締め具が移動し内容物が袋の中で動き傾くおそれがある。また、矢先の先端で袋が破れる可能性がある。
【０００９】
また、特許文献4は、スリットの数が４本以内と少なく、どれか１か所でも外れた場合不安定になり傾く恐れがある。また、袋を係止具から外すときスリット先端のカギ状部分で袋がひっかかり外しにくい。また、スリットとスリットの間の片部先端を円弧状にしているが、袋が大きい場合は袋の側面がスリットに入り込めず透孔に余分な袋側面部分が存在することになり、その余分な袋側面部分によって袋内部の空気を外部にスムーズに排出することが困難である。単に袋の口を閉止するだけである。仮に透孔を大きくすることで大きい袋に対処すると係止具を大きくする必要がある。小さい袋では必要以上の大きさの係止具になり不経済である。また、スリットとスリットの間の突出部先端のR状部分が広いため袋側面をスリットに入れ込む場合抵抗が大きくなり袋がスムーズに入り込むことが困難である。
【００１０】
本発明は、上記のような課題を解決し、レジ袋などの袋に簡単に装着でき、また簡単に外すことができ、袋の中身の傾きを防ぐ係止具を提供しようとするものである。
【課題を解決するための手段】
【００１１】
上記課題を解決するために、本発明は、袋の開口部を外部から係止する係止具であって、平板にて形成された本体に透孔が形成され、前記透孔から放射状に延在する複数のスリットが形成され、前記スリットは、前記スリットの先端部と基端部とのほぼ中央から基端部に向かって幅広に形成され、前記透孔中央部を中心として、前記複数のスリットのうち任意の一つのスリットの先端と、該任意のスリットと隣り合うスリットの先端とから成る角度が９０度未満であり、前記平板の材質は樹脂であることを特徴とするものである。
【００１２】
また、前記スリットは、５本から８本であることを特徴とするものである。
【００１３】
また、前記平板の寸法は、はがきサイズ以内の範囲の寸法であることを特徴とするものである。
【００１４】
また、前記スリットは、前記透孔の中心を軸として対称に設けられたことを特徴とするものである。
【００１５】
また、前記本体の外部から前記透孔に至る通路であって、係止すべき袋が通過できる通路が設けられたことを特徴とするものである。
【発明の効果】
【００１６】
本発明は、平板の中央付近に透孔を設け透孔中央より外周に向かって複数の放射状スリットを設けた係止具である。レジ袋の口を絞り透孔に挿入し、片方の手でレジ袋の持ち手を持ち、他方の手で係止具を下方に押し下げる。係止具を下方に押し下げたときレジ袋内の空気が外部放出することで、スムーズに係止具をレジ袋に密着させることができ、また、内容物の入ったレジ袋の持ち手を内容物が入ったレジ袋の重心の垂直の位置にすることができる。このことにより、レジ袋の内容物が常に水平を保つ。
【００１７】
また、透孔から放射状に延在する複数のスリットの基端部が幅広に形成されていることにより、大きい袋で袋側面がスリットに入り込めない場合は、余分な袋側面が基端部幅広部分に溜まることで透孔部分の袋開口部に余裕ができ空気の排出がスムーズにできる。また、大きい袋でも透孔を大きくする必要がないため係止具を大きくしなくて済み袋の大小に関わらずコンパクトな係止具にすることができる。また、係止具を下方に押し下げたときレジ袋の側面部分がスムーズにスリットに挟み込まれる。また、レジ袋の持ち手を持ちレジ袋を下げたとき、内容物の重みでレジ袋の口が開こうとすることで更にレジ袋の側面がスリットに食い込む。レジ袋の側面部分がスリットに挟み込まれることにより係止具が上方向に移動することを防ぐ。また、複数個所のスリットでレジ袋の側面を保持することで更に係止具が移動するのを防ぎ止めた状態を維持することができる。このことにより内容物が袋内で安定し、袋が揺れても傾かない。また、スリットの数が多いことによりスリットに挟み込まれたレジ袋の一部の箇所が外れても他の部分で保持することにより状態を維持する。また、スリットの数は８本ぐらいまでがよく、スリットの数が多いとスリットとスリットの間の突出部の強度が弱くなる。
【００１８】
また、弾力性に富む平板の場合は、透孔を押し広げてレジ袋の口を挿入する。また、平板を摩擦抵抗のある素材にすることで、平板裏とレジ袋が密着し平板が移動し難くなり内容物がより安定し袋が揺れても傾かない。
【００１９】
また、剛性を備えた平板の場合は、平板外部から袋が通過できる通路を設けることによりスムーズに袋を透孔に挿入することができる。
【図面の簡単な説明】
【００２０】
【図１】本発明の実施形態１を示す平面図である。
【図２】本発明の実施形態１のレジ袋を装着した斜視図である。
【図３】本発明の実施形態２を示す平面図である。
【図４】本発明の実施形態３を示す平面図である。
【図５】本発明の実施形態４を示す平面図である。
【図６】本発明の実施形態５を示す平面図である。
【発明を実施するための形態】
【００２１】
以下、本発明の実施形態について図面を参照して説明する。
【００２２】
図１は、本発明の実施形態１の平面図を示す。
円形の平板２の中央付近に透孔３を設け、平板２の透孔３より平板外周縁８に向かって放射状に延在する複数のスリット４が形成され、スリット４の基端部５は幅広に形成されている。実施形態１では基端部５は巾がV字形に奥に行くほど狭くなっている。スリット４とスリット４の間に形成される突出部１６の先端はＲ状に（丸く）形成されている。R状にすることでレジ袋９を装着したとき袋の破損を防ぐことができ、更に袋の側面がスムーズにスリット４に挟み込まれる。また、平板２の外周縁８から透孔３に至る通路６が開設され、通路６の基端部の外周縁８側に通路切欠き部１１を設けている。通路切欠き部１１を設けることでレジ袋９をスムーズに通路６に挿入することができる。また、通路部６の透孔側基端部は幅広にしないことで、レジ袋９の抜けを防ぐ。なお、袋をレジ袋としているがレジ袋以外の布袋や網袋などや薄手の素材の袋などでもよい。また、平板２は実施形態では円形としているが矩形や楕円形などでもよい。
また、剛性を備えた係止具１の合成樹脂材料としては、例えば株式会社パール加工の下敷き（品番０９０-３１２０材質PVC・品番CR-１９６０材質PP）などの材料がよい。また、弾力性を備えた係止具１の場合は、透孔を押し広げて袋を挿入することで必ずしも通路６を設ける必要はない。弾力性と摩擦抵抗に富む材料としては、例えばエコー金属株式会社のシリコンフードカバー（材質シリコン樹脂）などの材料がよい。
【００２３】
図２は、本発明の実施形態１のレジ袋を装着した斜視図である。
レジ袋９の口を絞り、通路部切欠き部１１より通路部６を通して透孔３（図示せず）に挿入し、片方の手でレジ袋９の持ち手１０を持ち、他方の手で係止具１を下方に押し下げ装着した図である。係止具１を下方に押し下げたときに、レジ袋９内の空気が外部放出され係止具１はレジ袋９に密着している。また内容物の入ったレジ袋９の持ち手１０を内容物が入ったレジ袋９の重心の垂直の位置に設置することができる。また、レジ袋の持ち手１０を持ちレジ袋９を下げたとき、内容物の重みでレジ袋９の側面が矢印１２の方向に開こうとすることで更にスリット４にレジ袋９の側面部分が食い込む。また、複数個所のスリット４でレジ袋９の側面を保持している。
【００２４】
図３は、本発明の実施形態２の平面図を示す。
矩形の平板２の中央付近に透孔３を設け、平板２の透孔３より平板外周縁８に向かって放射状に延在する複数のスリット４が形成され、スリット４の基端部５は幅広に形成され、スリット４とスリット４の間に形成される突出部１６の先端はＲ状に形成されている。また、平板２の外周縁８から透孔３に至る通路６が開設され、通路６の基端部の外周縁８側に通路切欠き部１１を設けている。またこの図ではスリット４を７本としているが５本または６本としてもよい。また、平板の寸法は、はがきサイズ以内で、例えば買い物のポイントカードやクレジットカードや名刺など縦2.7ｃｍから5.5ｃｍ横4.5ｃｍから9.1ｃｍ厚み1mm程度の範囲の寸法の大きさであればカードといっしょに財布に入れることで、買い物をしたときに取り出しやすく紛失する恐れもなく便利である。また、平板２を樹脂にして再使用できるようにすれば経済的である。また、平板は剛性を備えた樹脂又は弾力性を備えた樹脂どちらでもよい。
【００２５】
図４は、本発明の実施形態３の平面図を示す。
矩形の平板２の中央付近に透孔３を設け、平板２の透孔３より平板外周縁８に向かって放射状に延在する複数のスリット４が形成され、スリット４の基端部５は幅広に形成され、スリット４とスリット４の間に形成される突出部１６の先端はＲ状に形成されている。また平板２は弾力性を備えた係止具で透孔３を押し広げて袋を挿入する。またこの図ではスリット４を８本としているが５本から８本としてもよい。また、スリット４と隣り合うスリット４の角度は４５°から９０°未満の範囲が良い。またスリット４の外周縁８側基端部には円形の小孔１９を設けている。小孔１８を設けることにより透孔３を押し広げたときスリット４が外周縁８方向に破れるのを防ぐことができる。
【００２６】
図５は、本発明の実施形態４の平面図を示す。
楕円形の平板２の中央付近に透孔３を設け、平板２の透孔３より平板外周縁８に向かって放射状に延在する複数のスリット４が形成され、スリット４の基端部５は幅広に形成され、スリット４とスリット４の間に形成される突出部１６の先端はＲ状に形成されている。また平板は弾力性を備えた係止具で透孔３を押し広げて袋を挿入する。またスリット４の外周縁８側基端部には円形の小孔１９を設けている。この図ではスリット４を６本としているが５本から８本でもよい。この図では、平板を楕円形としているがどのような形でもよい。例えば、動物・花などでもよく、また立体的にしてもよい。
【００２７】
図６は、本発明の実施形態５の平面図を示す。
弾力性と摩擦抵抗に富む平板２の中央に透孔３を設け、平板２の透孔３より平板外周縁８に向かって放射状に延在する複数のスリット４が形成されている。実施形態３ではスリット４の基端部は幅広にしていないが、幅広にしてもよい。またスリット４の外周縁８側基端部には円形の小孔１９を設けている。実施形態３では小孔を設けているが設けなくてもよい。
【符号の説明】
【００２８】
１    係止具
２    平板
３    透孔
４    スリット
５    基端部
６    通路
８    外周縁
９    レジ袋
１０  袋の持ち手
１１  通路切欠き部
１２  矢印
１６  突出部
１８  小孔
【図１】
2017186083.tif 000003
【図２】
2017186083.tif 000004
【図３】
2017186083.tif 000005
【図４】
2017186083.tif 000006
【図５】
2017186083.tif 000007
【図６】
2017186083.tif 000008